(57)【要約】 【課題】便器本体の手摺取付部の外観を良くして商品価値が向上する着座式便器の構成を提供することを目的とする。 【解決手段】便器本体２０に手摺２１を備える着座式便器２８であって、便器本体２０に設けられる手摺取付部２４と、便器本体２０を床４０に据え付けるための床取付けフランジ部２９とを遮蔽するカバー２６を前記便器本体２０の側面２７に備えている。前記カバー２６は、その一端部２６ａを前記便器本体２０の後端部２１ａに面する壁４１に当接するとともに、他端部２６ｂが前記便器本体２０の側面２７にオーバーラップして形成される。便器本体２０の側面２７は、便器本体２０の略中央部から後端部にかけて２段階に抉られた形状になっており、便器本体２０の先端部から後端部までを含む領の側面２７は、略中央部における側面２７ａと第１段階の側面２７ｂと第２段階の側面２７ｃとからなる。【選択図】  図１
2006122106.tif 000002
【特許請求の範囲】
【請求項１】
便器本体に手摺を備える着座式便器であって、便器本体に取付ける手摺取付部と便器本体の床取付けフランジ部とを遮蔽するカバーが、前記便器本体の側面に備えられることを特徴とする着座式便器。
【請求項２】
請求項１に記載の着座式便器であって、便器本体に備えられる前記カバーは、その一端部を前記便器本体の後端部に面する壁に当接するとともに、他端部が前記便器本体とオーバーラップして形成されることを特徴とする着座式便器。
【請求項３】
請求項２に記載の着座式便器であって、前記カバーが前記便器本体と面一に形成されることを特徴とする着座式便器。
【発明の詳細な説明】
【技術分野】
【０００１】
本発明は、着座式便器の構造に関し、特に便器本体に取付けられる手摺の取付部付近の外観を良くして商品価値を向上させる技術に関する。
【背景技術】
【０００２】
従来、手摺を備える着座式便器の構成に関しては、特許文献１記載の内容が知られている。
【０００３】
この着座式便器１の構成によれば、図５に示すように、支柱３を介して手摺本体４が取付けられた便器本体２が床６に設置される。便器本体２には、便座１４と便蓋１５と洗浄装置１６と洗浄水用のロータンク１１が設けられている。
【０００４】
ここで、支柱３は、その中程が便器本体２の側部に設けられた固定片１２に軸７で固定され、支柱３の一端側を上方へ延設して、その上端部分に前方へ延出する略水平の手摺本体４を形成するとともに、支柱３の他端側を下方へ垂設して、その下端部分を支持部５として床６近傍の便器本体２に固定される。
【０００５】
ここで、便器本体２の後部下端部周縁には便器本体２を床６に固定するための「床取付けフランジ部９」が一体的に突設されており、この床取付けフランジ部９を利用して、支柱３の支持部５が固着するアングル材からなる手摺取付部８と床取付けフランジ部９とを同時に床６に固着（ボルト締め）することができる。
【０００６】
この着座式便器１においては、用便時に便器本体２に座ったり床６に立ち上がったりする際に、両側の手摺本体４を持って楽に動作することができる。
【特許文献１】特開２０００−１５７４５７号公報
【発明の開示】
【発明が解決しようとする課題】
【０００７】
ところが、上記の着座式便器１では、便器本体２の後部下端部周縁に一体的に突設された「床取付けフランジ部９」を利用して、支柱３の支持部５が固着するアングル材からなる手摺取付部８が床６に固着されている。
【０００８】
このため、手摺本体４を便器本体２に取付けるための手摺取付部８及び便器本体２の床取付けフランジ部９が便器本体２の側部に露出するので意匠性が劣るという問題があった。
【０００９】
また、便器本体の後部の清掃がしにくいという問題があった。
【００１０】
そこで、本発明は、便器本体に取付ける手摺取付部と床取付けフランジ部付近の外観を良くして意匠性があがり商品価値が向上するとともに、便器本体の後部の清掃性を向上させる着座式便器の構成を提供することを目的とする。
【課題を解決するための手段】
【００１１】
請求項１の発明は、便器本体に手摺を備える着座式便器であって、便器本体に取付ける手摺取付部と便器本体の床取付けフランジ部とを遮蔽するカバーが、前記便器本体の側面に備えられることを特徴としている。
【００１２】
この着座式便器であれば、便器本体に取付ける手摺取付部と便器本体の床取付けフランジ部とが便器本体の側部に露出することがなくなる。
【００１３】
請求項２の発明は、請求項１に記載の着座式便器であって、便器本体に備えられる前記カバーは、その一端部を前記便器本体の後端部に面する壁に当接するとともに、他端部が前記便器本体とオーバーラップして形成されることを特徴としている。
【００１４】
このカバーであれば、その一端部を前記便器本体の後端部に面する壁に当接する状態で、他端部が前記便器本体とオーバーラップしているので、このオーバーラップ領域でカバーをスライドすることができるので、カバーが遮蔽する領域幅の（調整する）余裕が得られる。
【００１５】
請求項３の発明は、請求項２に記載の着座式便器であって、前記カバーが前記便器本体と面一に形成されることを特徴としている。
【００１６】
この着座式便器であれば、前記カバーが前記便器本体と面一に形成されて段差が生じないので外観がよくなる。
【発明の効果】
【００１７】
請求項１記載の発明によれば、便器本体に取付ける手摺取付部と便器本体の床取付けフランジ部とが、便器本体の側部に露出することがなくなるので、便器の外観が良くなる。そのため、商品価値を向上させることができる。
【００１８】
請求項２記載の発明によれば、オーバーラップ領域でカバーをスライドしてカバー領域の調整ができる。そのため、着座式便器の取付け時のカバーによる幅調整に余裕が生じるので、便器本体の後端部の壁との隙間調整が容易にできて、現場施工の効率が向上する。
【００１９】
便器本体の後端部がカバーと壁とによって閉鎖領域にできるので、（便器本体の後端部の清掃が不要になるので）清掃性を向上させることができる。
【００２０】
請求項３の発明によれば、着座式便器のカバーが前記便器本体と面一に形成されて段差が生じないので外観がよくなる。そして、意匠性が向上するので商品価値を高めることができる。
【発明を実施するための最良の形態】
【００２１】
＜着座式便器の構成＞  
以下に、本発明の実施形態を図１、図２、図３、図４(ａ)、(ｂ)に基づいて説明する。
【００２２】
図１、図２に示すように、本発明の着座式便器２８は、便器本体２０に一対の手摺２１を左右に備えるとともに、便座４３と便蓋４４と洗浄装置１６とが設けられている。なお、洗浄水用のロータンクは図示しないが別途設けられる。
【００２３】
便器本体２０の後部下端部周縁には「床取付けフランジ部２９」が形成され、この「床取付けフランジ部２９」によって便器本体２０を床４０に据え付けることができる。
【００２４】
そして、便器本体２０が床４０に固定されたときに、便器本体２０に手摺２１を取付けるための（手摺２１側の）手摺取付部２４と、便器本体２０を床４０に据え付けるための床取付けフランジ部２９とを遮蔽するカバー２６が、前記便器本体２０の側面２７に設けられる。
【００２５】
カバー２６は、その一端部２６ａを前記便器本体２０の後端部２０ａに面する壁４１に当接するとともに、他端部２６ｂが前記便器本体２０の側面２７とオーバーラップして形成される。ここで、便器本体２０の側面２７は、便器本体２０の略中央部から後端部２０ａにかけて２段階に抉られた段差形状になっており、略中央部における側面２７ａ、第１段階の側面２７ｂ、第２段階の側面２７ｃからなり、他端部２６ｂは側面２７ｂにオーバーラップするとともに便器本体２０の側面２７ａと面一に形成される。なお、側面２７ｃは便器本体２０の上端部のみであり床４０まで形成されていない。
【００２６】
手摺２１は、手摺本体２２と支柱２３と手摺取付部２４とで一体的に形成され、便器本体２０に備えられた手摺固着帯２５に固着される。
【００２７】
＜手摺２１と手摺固着帯２５の詳細構造＞
図３に示すように、上述の便器本体２０の前方後方方向をX軸、横方向をY軸、上下方向をZ軸として説明する。
【００２８】
手摺２１の支柱２３は例えば断面円形棒状で、支柱２３の上端部２３ａと上部折れ部２３ｂ間の水平部分２３ｃ（長さＦ１）はX軸に平行に配置される。この水平部分２３ｃの上部に手摺本体２２（長さ略Ｆ１）が取付けられる。
【００２９】
そして、支柱２３は上部折れ部２３ｂから後方に角度α（略１２０度）で傾斜して下部折れ部２３ｄに至る(長さＦ２)。このとき、支柱２３の上端部２３ａ、上部折れ部２３ｂ、下部折れ部２３ｄを含む面はX―Z面に平行である。
【００３０】
さらに、支柱２３は下部折れ部２３ｄからY軸に平行（支柱２３の上端部２３ａ、上部折れ部２３ｂ、下部折れ部２３ｄを含む面に直角）になるように角度β（９０度）に折れ曲がって、下部折れ部２３ｄから長さF３の下部水平部分２３ｆの先端が下端部２３ｅとなる。
【００３１】
この下端部２３ｅには、下部水平部分２３ｆに直角に厚さｍ２の手摺取付部２４が取付けられ、手摺取付部２４には支柱２３（下部水平部分２３ｆ）を囲むように取付け孔２４ａが４箇所形成される。
【００３２】
なお、上部折れ部２３ｂと下部折れ部２３ｄには、角張らないように適当な曲率の円弧状に形成される。
【００３３】
手摺取付部２４を固着するための手摺固着帯２５は帯状形状で、Y軸に平行な帯状の中央部２５ａ（内法長さＢ３）が上述の便器本体２０の表面に密着して覆い、さらに、上述の便器本体２０を抱え込むように角度γ（略９０度）で折れ曲がって、略正方形の両端部２５ｂ、２５ｂが形成される。それぞれの端部２５ｂの厚みはｍ１である。
【００３４】
中央部２５ａには、手摺取付部２４を便器本体２０に固着するための孔２５ｃが所要数形成され、端部２５ｂには手摺取付部２４の取付け孔２４ａに対応する位置４箇所にネジ穴２５ｄが形成される。
【００３５】
ここで、手摺２１は使用者が用便時あるいは用便前後の着離脱時に体の支えとするものである。そのため、支柱２３、手摺取付部２４及び手摺固着帯２５は所要の強度を保持する為に金属製材料が好ましい。手摺本体２２は使用者の掌や脇を安全に支えることができるように柔らかい布やキャンバス等の材料が配設される。
【００３６】
図４（ａ）、（ｂ）に示すように、便器本体２０の側面２７の抉られた２段階の深さをそれぞれ、深さＳ、Ｔとし、略中央部における側面２７ａの幅をＢ１、第１段階の側面２７ｂの幅をＢ２、第２段階の側面２７ｃ幅をＢ３とすると、それぞれの関係は次の式で表わされる。
【００３７】
Ｂ１＞Ｂ２＞Ｂ３
Ｂ１＝Ｂ２＋２ｘＳ
Ｂ２＝Ｂ３＋２ｘＴ
＜カバー２６の構造＞
カバー２６は幅Ｄ、高さＥ、厚さSの矩形形状であり、上端部２６ｃ近傍には支柱２３の下部水平部分２３ｆを逃がすための凹溝３５が設けられている。  
凹溝３５は上端部２６ｃからＥ１の距離に上端部２６ｃに平行に幅Ｅ２、長さＤ１で形成され、凹溝３５の奥部は直径が幅Ｅ２と同じ長さの円弧に形成される。
【００３８】
ここで、手摺２１と手摺固着帯２５とカバー２６との水平方向の位置関係は、
上述の手摺固着帯２５の端部２５ｂの厚さｍ１と手摺取付部２４の厚さｍ２に対して、支柱２３と手摺取付部２４との間隙をｍ３とすると次のような関係になる。
【００３９】
（Ｔ−Ｓ）≧（ｍ１＋ｍ２）    
この関係により、カバー２６は手摺取付部２４を無理なく内包して側面２７ａに平行且つ面一に設置できる。
【００４０】
（ｍ１＋ｍ２＋ｍ３＝ｍ４）＞≧Ｔ    
この関係により、カバー２６は支柱２３に押圧(接触による)されないので無理なく側面２７ａに平行且つ面一に設置できる。
【００４１】
なお、カバー２６は側面２７ｂにオーバーラップするように形成され、カバー２６が壁４１に当接したときに、側面２７ａとの間に隙間Ｕが形成される。カバー２６の取付けは、壁４１と側面２７ｂに対して、両面テープ等の開放容易な接着剤が用いられる。
【００４２】
＜着座式便器の作用＞  
上述のように、カバー２６は幅Ｄ、高さＥ、厚さＳの矩形板形状であり、上端部近傍には上端部２６ｃからＥ１の距離に上端部２６ｃに平行な凹溝３５が幅Ｅ２、長さＤ１で形成される。この凹溝３５の長さＤ１を所定の長さに形成することで十分な奥行きが得られるので、据付時における支柱２３の壁４１からの位置（水平距離）のバラツキを吸収できる。
【００４３】
さらに、カバー２６は側面２７ｂにオーバーラップするように形成されるので、カバー２６が壁４１に当接したときに側面２７ａとの間に隙間Ｕが発生した場合でも、隙間Ｕにおいては外側からは側面２７ｂが見えるだけで外見的にはほとんど変わらない。このように、オーバーラップによって調整代が得られるので余裕を持ってカバー２６の取付けができる、
なお、便器本体２０と壁４１との間の床４０には、便器本体２０からの「排水のフランジ３６」が配置されているが、この排水のフランジ３６も同様にカバー２６によって遮蔽することができる。さらに、据付時に、この「排水のフランジ３６」を目で確かめながら、便器本体２０の排水管を排水のフランジ３６に挿入することができるので、無理なく確実に設置できるという効果も得られる。（図５に示した従来例の着座式便器の場合にも「排水のフランジ」は配置されているが、便器本体に隠れてしまうので、据付時には目視できないという不都合があった）
このように、カバー２６によって、排水のフランジ３６位置や便器本体２０である陶器寸法誤差の吸収が可能であり、便器本体２０に設けられる手摺取付部２４と、便器本体の床取付けフランジ部２９が遮蔽されるので外観が向上する。
【００４４】
以上、本発明の実施形態を図面に基づいて説明したが、上記の実施例はいずれも本発明の一例を示したものであり、本発明はこれらに限定されるべきでないということはいうまでもない。
【００４５】
手摺２１の支柱２３の上端部２３ａと上部折れ部２３ｂ間の水平部分２３ｃ（長さＦ１）はX軸に平行に配置されるとしたが、使用者の体格に合わせて用便時あるいは用便前後の着離脱時にスムーズに使用できるように、多少上端部２３ａが開いた状態にしても構わない。
【００４６】
カバー２６の凹溝３５の開口が壁４１に向くように取付けされているが、場合によれば、逆に凹溝３５の開口が便器本体２０側に向いて取付けても構わない。
【００４７】
洗浄水用のロータンクが洗浄装置１６の後部に設置される場合には、洗浄装置１６の据付必要領域分に見合った長さ分だけ、カバー２６の幅Ｄを壁４１側に延長すればよい。このとき、凹溝３５の長さＤ１も同様に調整する必要がある。
【００４８】
カバー２６の取付けは、壁４１と側面２７ｂに対して、両面テープ等の開放容易な接着剤が用いるかわりに、ビス等を用いても構わないが、カバー２６は所謂めくら用の化粧板であり強度を必要としないので、目立たない小さなビス等の使用が好ましい。
【図面の簡単な説明】
【００４９】
【図１】本発明の実施形態における、着座式便器の斜視図である。
【図２】本発明の実施形態における、便器本体とカバーの組付け斜視図である。（便座と便蓋と洗浄装置を除く）
【図３】本発明の実施形態における、着座式便器の手摺２１と手摺固着帯２５との組付分解図である。
【図４】本発明の実施形態における、（ａ）は図１におけるＡ−Ａ詳細図、（ｂ）はカバー２６の正面図である。
【図５】従来例で、便器本体に手摺を備える着座式便器を示す斜視図である。
【符号の説明】
【００５０】
２０  便器本体
２１  手摺
２４  手摺取付部
２６  カバー
２６ａ  一端部
２６ｂ  他端部
２７  側面
２７ａ  側面
２７ｂ  側面
２７ｃ  側面
２８  着座式便器
２９  床取付けフランジ部
４０  床
４１  壁
Ｂ１  幅
Ｂ２  幅
Ｂ３  幅
【図１】
2006122106.tif 000003
【図２】
2006122106.tif 000004
【図３】
2006122106.tif 000005
【図４】
2006122106.tif 000006
【図５】
2006122106.tif 000007